(57)【要約】【課題】人の手で行うような効果の高いマッサージが可能なマッサージ器を提供する。【解決手段】マッサージ器１は、人が背を載せるクッション４を備え、クッション４の内側には、人の背骨から各肩甲骨に向かう僧帽筋の筋繊維に沿って往復動する一対の揉玉部５０が備えられている。マッサージ器１は、仰臥位で用いられるため、揉玉５０が人の背中に強く当たる。その上、マッサージ器１は、背骨から各肩甲骨に向かう僧帽筋の筋繊維に沿って各揉玉５０が往復運動するため、各揉玉５０の運動方向と僧帽筋が張られた方向とが同じになる。したがって、マッサージ器１は、人の手で行うような効果の高いマッサージ、特に「肩甲骨はがし」と呼ばれるマッサージを効果的に行うことができる。【選択図】図１
2018000243.tif 000002
【特許請求の範囲】
【請求項１】
仰臥位の人の背中の下に設置して用いるマッサージ器であって、
前記人の背中に当たり、前記人の背骨から各肩甲骨に向かう僧帽筋の筋繊維に沿って往復動する一対の揉玉部を備えることを特徴とするマッサージ器。
【請求項２】
請求項１に記載のマッサージ器において、
前記揉玉部は、地面側を支点に円弧状に動作することを特徴とするマッサージ器。
【請求項３】
請求項２に記載のマッサージ器において、
前記揉玉部は、人の背中に当たる複数の山部であって、前記揉玉部が往復道する方向に対して垂直な方向に並べて設けられている複数の前記山部を備える形状に形成されていることを特徴とするマッサージ器。
【請求項４】
請求項１〜３のいずれか１項に記載のマッサージ器において、
人が背を載せるクッション部を備え、
前記揉玉部を含む各施術部が、前記クッション部の内側であってマッサージ対象の筋肉にあたる位置に配置されている
ことを特徴とするマッサージ器。
【請求項５】
請求項４に記載のマッサージ器において、
前記クッション部は、仰臥位の前記人の背骨が載る部分の両側が、背骨が載る部分から下る形状に形成されていることを特徴とするマッサージ器。
【発明の詳細な説明】
【技術分野】
【０００１】
本発明は、マッサージ器に関する。
【背景技術】
【０００２】
揉玉部を被施術者の背中に当て、揉玉部を様々な方向に動かして被施術者の背中の筋肉をほぐす様々なマッサージ器が開発されている。
【発明の概要】
【発明が解決しようとする課題】
【０００３】
しかし、これらのマッサージ器には、揉玉部を単に左右方向に拡幅させたり、揉玉部を単に円運動させたりして施術するものが多く、人の手で行うような効果の高いマッサージを行うことが難しかった。
【０００４】
本発明では、人の手で行うような効果の高いマッサージが可能なマッサージ器を提供することを目的とする。
【課題を解決するための手段】
【０００５】
請求項１に記載のマッサージ器は、仰臥位の人の背中の下に設置して用いるマッサージ器であって、前記人の背中に当たり、前記人の背骨から各肩甲骨に向かう僧帽筋の筋繊維に沿って往復動する一対の揉玉部を備える。
【０００６】
人が僧帽筋をマッサージするとき、いわゆる「肩甲骨はがし」と呼ばれる方法でマッサージすると効果的である。この「肩甲骨はがし」は、僧帽筋に人の手を強く当て、僧帽筋の筋繊維の方向に沿って動かすことで行われる。
【０００７】
本発明のマッサージ器は、仰臥位で用いられるため、揉玉部が人の背中に強く当たる。その上、本発明のマッサージ器は、背骨から各肩甲骨に向かう僧帽筋の筋繊維に沿って各揉玉部が往復運動するため、各揉玉部の運動方向と僧帽筋が張られた方向とが同じになる。
【０００８】
したがって、本発明のマッサージ器は、人の手で行うような効果の高いマッサージ、特に「肩甲骨はがし」と呼ばれるマッサージを効果的に行うことができる。
本発明のマッサージ器を構成する揉玉部は、地面側を支点に円弧状に動作させてもよい。「肩甲骨はがし」のマッサージの効果を上げようとする場合、施術者は手を円弧状に動かして施術を行うことが多い。そのため、本発明のように構成すると、揉玉部を円弧状に動くので、人の手で受けているような効果の高いマッサージを行うことができる。
【０００９】
本発明のマッサージ器を構成する揉玉部は、例えば、人の背中に当たる複数の山部であって、揉玉部が往復道する方向に対して垂直な方向に並べて設けられている複数の山部を備える形状に形成されていてもよい。
【００１０】
「肩甲骨はがし」のマッサージを行う場合、施術者は握り拳を作り、指の第２間接のところを僧帽筋に当ててマッサージをすることがある。
本発明の揉玉部が形成する各山部は、施術者が握り拳を握ったときに各指の第２間接が並んだ形状を模擬しているので、本発明のマッサージ器によるマッサージを受けると、「肩甲骨はがし」のマッサージを、人の手で受けているような感覚で受けることができる。
【００１１】
本発明のマッサージ器は、人が背を載せるクッション部を備えていてもよい。この場合、揉玉部を含む各施術部は、クッション部の内側であってマッサージ対象の筋肉にあたる位置に配置すればよい。
【００１２】
またクッション部は、仰臥位の人の背骨が載る部分の両側が、背骨が載る部分から下る形状、いわゆる、両肩が落ちる形状に形成されているとよい。このようにすると僧帽筋が自然に縮み、僧帽筋がリラックスした状態となるので、効果の高いマッサージを行うことができる。
【図面の簡単な説明】
【００１３】
【図１】図１（ａ）は、実施形態のマッサージ器の斜視図である。図１（ｂ）は、実施形態のカバーを取ったマッサージ器の斜視図である。
【図２】図２は、実施形態のマッサージ器に人が仰臥位で載ったときの様子を示す、模式図である。
【図３】図３は、実施形態のマッサージ器が有する各揉玉が被施術者に当たる場所を模式的に示した図である。
【図４】図４（ａ）は、図３のＩＩＩＡ−ＩＩＩＡ断面図であって、僧帽筋をもむ揉玉が閉じた様子を示し、図４（ｂ）は、図３のＩＩＩＡ−ＩＩＩＡ断面図であって、僧帽筋をもむ揉玉が開いた様子を示している。
【図５】図５（ａ）は、図３のＩＩＩＢ−ＩＩＩＢ断面図であって、広背筋情報が上方に上がった様子を示し、図５（ｂ）は、図３のＩＩＩＢ−ＩＩＩＢ断面図であって、広背筋をもむ揉玉が下がった様子を示している。
【発明を実施するための形態】
【００１４】
以下に本発明の例示的な実施形態について図面を参照しながら説明する。
本実施形態のマッサージ器は、図１（ａ）に示すように、縦７５ｃｍ、横３４ｃｍ、高さ１２ｃｍの箱状のマッサージ器１である。ただし、このマッサージ器１は、横方向中央の１／３程の部分が、縦方向の中央部から縦方向の一方の端部側（下部側）に向かって、なだらかに傾斜した形状に形成されている。また、このマッサージ器１は、横方向中央の１／３程の部分が、縦方向の中央部から縦方向の他方の端部側（上部側）に向かって、水平な形状に形成されている。さらに、マッサージ器１は、上記以外の部分（横方向中央の１／３程の部分以外の部分）は、横方向中央の１／３程の部分から横方向の両端側に向かってなだらかに下る丸みが付いた形状に形成されている。このなだらかに下る丸みのため、人が仰臥位でマッサージ器１に載ると、図２に示すように、横方向中央の１／３程の部分に背骨が通っている部分が載り、両肩が落ちる。
【００１５】
本実施形態のマッサージ器１は、全体が布製のカバー１０で覆われており、この布製のカバー１０を取ると、図１（ｂ）に示すように、内部構造体２が露出する。
内部構造体２は、大きく土台部３、クッション部４、機構部５を備えている。
【００１６】
土台部３は、最下段に設置された板状の部材である。本実施形態のマッサージ器１は、土台部３の下方側の板面が接地するように配置して使用する。土台部３は、その形状を保持可能な硬さの材料（具体的にはＡＢＳ樹脂成形品）で形成されている。
【００１７】
クッション部４は、土台部３上に貼り付けられており、本実施形態のマッサージ器１の全体形状に類似する形状に形成されている。ただし、クッション部４には、横方向中央を縦方向に沿って延びる中心線の両側であって、縦方向に略３分割した中央部分に、縦方向に沿って長方形状に形成された一対の設置孔４０が形成されている。
【００１８】
土台部３のうち、各設置孔４０が形成された部分には、機構部５が設置されている。機構部５は、図示しないモータから動力を受けて動作する。機構部５は、複数の揉玉５０，５２を備えている。これら揉玉５０，５２が当たるおおよその位置を図示すると、図３に示す通りである。揉玉５０、５２は、各設置孔４０に５つずつ設置される。このうち、最も上部側にある揉玉５０は、人の背骨から各肩甲骨に向かう僧帽筋（第４〜１２胸椎棘突起から各肩甲骨に向かう僧帽筋）に当たる位置に配置されている。また、揉玉５０以外の４つの揉玉５２は、マッサージ器の縦方向に沿って縦列に配置され、広背筋の背骨への付け根部分に当たる位置に配置される。
【００１９】
揉玉５０は、横方向に対して、約２１．５度上部側に傾いた方向に沿って往復動可能に土台部３に取り付けられている。揉玉５０は、図４（ａ）及び図４（ｂ）に示すように、地面側を支点に円弧状に揺動可能に土台部３に取り付けられている。そのため、揉玉５０は、僧帽筋の筋繊維に沿って往復道するとともに、その往復道の際に地面側を支点に円弧状に揺動する。
【００２０】
また、揉玉５０は、人の背中に当たる複数の山部であって、揉玉５０が往復道する方向に対して垂直な方向に並べて設けられている複数の山部５１を備える形状に形成されている。
【００２１】
そのため、このマッサージ器１は、揉玉５０を揺動させると、人が握り拳を作ったときの各指の第二関節を僧帽筋に当て、僧帽筋の筋繊維に沿ってマッサージする動作を再現できる。
【００２２】
揉玉５２は、図５（ａ）及び図５（ｂ）に示すように、広背筋に当たる位置で上下動し、広背筋をマッサージする。
以上説明したマッサージ器１の特徴的な作用効果について以下説明する。
【００２３】
本実施形態のマッサージ器１は、仰臥位で用いられるため、揉玉５０が人の背中に強く当たる。その上、本実施形態のマッサージ器１は、背骨から各肩甲骨に向かう僧帽筋の筋繊維に沿って各揉玉５０が往復運動するため、各揉玉５０の運動方向と僧帽筋が張られた方向とが同じになる。
【００２４】
したがって、本実施形態のマッサージ器１は、人の手で行うような効果の高いマッサージ、特に「肩甲骨はがし」と呼ばれるマッサージを効果的に行うことができる。
本実施形態のマッサージ器１を構成する揉玉５０は、地面側を支点に円弧状に動作する。「肩甲骨はがし」のマッサージの効果を上げようとする場合、施術者は手を円弧状に動かして施術を行うことが多い。そのため、本実施形態のマッサージ器１は、揉玉５０を円弧状に動かすことができるので、人の手で行われているような効果の高いマッサージを行うことができる。
【００２５】
本実施形態のマッサージ器１を構成する揉玉５０は、人の背中に当たる複数の山部５１であって、揉玉５０が往復道する方向に対して垂直な方向に並べて設けられている複数の山部５１を備える形状に形成されている。
【００２６】
「肩甲骨はがし」のマッサージを行う場合、施術者は握り拳を作り、指の第２間接のところを僧帽筋に当ててマッサージをすることがある。
本実施形態の揉玉５０が形成する各山部５１は、施術者が握り拳を握ったときに各指の第２間接が並んだ形状を模擬しているので、本実施形態のマッサージ器１によるマッサージを受けると、「肩甲骨はがし」のマッサージを、人の手で受けているような感覚で受けることができる。
【００２７】
本実施形態の各構成と、本発明の構成との対応関係について説明する。
本実施形態の揉玉５０は、本発明の揉玉部に相当する。
本実施形態の揉玉５０及び揉玉５２が、本発明の施術部に相当する。
［他の実施形態］
以上、実施形態について説明したが、特許請求の範囲に記載された発明は、上記実施形態に限定されることなく、種々の形態を採り得ることは言うまでもない。
（１）上記実施形態では、揉玉部５０の形状を、複数の山部５１を有する波形状としたが、揉玉部５０は、例えば山部５１を有しない形状など、波形状以外の形状に形成してもよい。
（２）上記実施形態では、揉玉部５０を２１．５度の角度で傾斜させたが、傾斜角度は、２１．５度に限るものではない。
（３）上記実施形態では、揉玉部５０は左右対称に８７.４°から７３.２°までの可動範囲での繰り返し運動にて構成されているが、この運動および可動範囲に限るものではない。
（４）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００２８】
１…マッサージ器、２…内部構造体、３…土台部、４…クッション部、５…機構部、
１０…カバー、４０…設置孔、５０…揉玉部、５１…山部、５２…揉玉部。
【図１】
2018000243.tif 000003
【図２】
2018000243.tif 000004
【図３】
2018000243.tif 000005
【図４】
2018000243.tif 000006
【図５】
2018000243.tif 000007